(57)【要約】      （修正有）【課題】本体部の耐候性を高めたうえで、低コストかつ生産効率を良くしたフレキシブルコンテナバッグを提供する。【解決手段】コンテナバッグ１０を、筒状に形成された本体部１１と、本体部１１の上端１１ａから延設され投入口１２ａを有した投入部１２と、本体部１１の下端１１ｂを閉塞する底面部１３と、本体部１１に装着された吊りベルト１４と、本体部１１の上端１１ａ側で本体部１１と連設され、本体部１１を外側から覆い可能とする保護カバー部１５と、を有する構成とする。【選択図】図１
0003175925.tif 000002
【実用新案登録請求の範囲】
【請求項１】
両端が開放された筒状の本体部と、前記本体部の一端の開放部分を閉塞する底面部と、前記本体部の他端側から前記底面部と反対側に延設され一端に投入口を有した筒状の投入部と、を備えて構成されるフレキシブルコンテナバッグであって、
筒状の保護カバー部が、前記本体部の他端側で前記本体部と連設され、前記本体部を外側から覆い可能とされ、
少なくとも、前記本体部を外側から覆った状態において前記保護カバー部の外側となる面側が、耐候性を有していることを特徴とするフレキシブルコンテナバッグ。
【請求項２】
前記保護カバー部は、
前記底面部側の端部で前記本体部と連設され前記投入部を外側から覆い可能とする上カバー部と、
前記底面部と反対側の端部で前記本体部と連設され前記本体部を外側から覆い可能とする下カバー部と、
で構成され、
前記投入部及び前記本体部をそれぞれ外側から覆った状態において外側となる面側が、耐候性を有していることを特徴とする請求項１記載のフレキシブルコンテナバッグ。
【請求項３】
前記本体部の外周面には、複数の吊りベルトが装着され、
前記上カバー部は、前記投入部を外側から覆い時に前記吊りベルトも外側から覆い、運搬時に自由端側を前記底面部側に移動させて前記吊りベルトを使用可能とされていることを特徴とする請求項２記載のフレキシブルコンテナバッグ。
【請求項４】
前記保護カバー部は、多層体として形成され、
その一の層が、アルミニウムで形成され、前記投入部の外周面側及び前記本体部を外側から覆った状態において前記保護カバー部の外側となる面側となるように配置されていることを特徴とする請求項２又は３記載のフレキシブルコンテナバッグ。
【請求項５】
前記下カバー部の自由端側には、前記底面部と設置面との間に配置される支承部材が配設されていることを特徴とする請求項２、３又は４記載のフレキシブルコンテナバッグ。
【請求項６】
前記保護カバー部が、一端側で前記投入部と連設され、
少なくとも、前記投入部の前記保護カバー部と連接する部分より前記投入口側の外周面側及び前記本体部を外側から覆った状態において前記保護カバー部の外側となる面側が、耐候性を有していることを特徴とする請求項１記載のフレキシブルコンテナバッグ。
【請求項７】
前記本体部の外周面には、複数の吊りベルトが装着され、
前記保護カバー部は、前記本体部を外側から覆い時に前記吊りベルトも外側から覆い、運搬時に自由端側を前記底面部と反対側に移動させて前記吊りベルトを使用可能とされていることを特徴とする請求項６記載のフレキシブルコンテナバッグ。
【請求項８】
前記本体部の外周面には、複数の吊りベルトが装着され、
前記保護カバー部は、前記本体部を外側から覆い時に前記吊りベルトも外側から覆い、前記本体部を外側から覆い時に前記吊りベルトを挿通可能に形成され、運搬時に前記吊りベルトを使用可能とされていることを特徴とする請求項６記載のフレキシブルコンテナバッグ。
【請求項９】
前記本体部と、前記投入部と、前記保護カバー部と、が重ね合わされて縫合されていることを特徴とする請求項６、７又は８記載のフレキシブルコンテナバッグ。
【請求項１０】
前記投入部及び前記保護カバー部は、多層体として形成され、
その一の層が、アルミニウムで形成され、前記投入部の外周面側及び前記本体部を外側から覆った状態において前記保護カバー部の外側となる面側となるように配置されていることを特徴とする請求項６、７、８又は９記載のフレキシブルコンテナバッグ。
【請求項１１】
前記保護カバー部の自由端側には、前記底面部と設置面との間に配置される支承部材が配設されていることを特徴とする請求項６、７、８、９又は１０記載のフレキシブルコンテナバッグ。
【考案の詳細な説明】
【技術分野】
【０００１】
本考案は、貨物を輸送、保管する際に用いられるフレキシブルコンテナバッグに関するものである。
【背景技術】
【０００２】
収納物を収納して輸送、保管するためにフレキシブルコンテナバッグが使用されている。災害等で廃棄物が大量に発生したような場合には、その処理能力を超えてしまうので一時的に屋外に仮置きする状況が生じる。
【０００３】
これに対して、特許文献１のフレキシブルコンテナバッグでは、袋状本体部をポリプロピレンを主原料とするフラットヤーンで織られた生地が使用された内裏材と、内裏材より耐候性に優れたポリエチレンを主原料としそれに耐候剤を添加混入してなるフラットヤーンで織られた生地が使用された外装材との二重構造を有していた。
【先行技術文献】
【特許文献】
【０００４】
【特許文献１】特開２００８−２４３４７号公報
【考案の概要】
【考案が解決しようとする課題】
【０００５】
しかし、上記に示すフレキシブルコンテナバッグでは、耐候性は高まるが、袋状本体部を内裏材と外装材とを重ね合わせて接着剤で貼り付けなければならず、生産効率が悪くコストがかかるという問題があった。
【０００６】
本考案は、上記事情に鑑み、本体部の耐候性を高めたうえで、低コストかつ生産効率を良くしたフレキシブルコンテナバッグを提供することを目的とする。
【課題を解決するための手段】
【０００７】
請求項１記載の考案では、筒状の保護カバー部を、本体部の他端側で本体部と連設して、本体部を外側から覆い可能とされ、少なくとも、本体部を外側から覆った状態において保護カバー部の外側となる面側が、耐候性を有している
これにより、本体部の耐候性を高めたうえで、低コストで生産効率を良くしたフレキシブルコンテナバッグを提供することすることができる。
【０００８】
また、保護カバー部を、底面部側の端部で本体部と連設され投入部を外側から覆い可能とする上カバー部と、底面部と反対側の端部で本体部と連設され本体部を外側から覆い可能とする下カバー部と、で構成して、投入部及び本体部をそれぞれ外側から覆った状態において外側となる面側が、耐候性を有する構成としている。
【０００９】
これにより、本体部に加え投入部の耐候性を高め、低コストで生産効率を良くしたフレキシブルコンテナバッグを提供することすることができる。
【００１０】
また、本体部の外周面に、複数の吊りベルトを装着して、上カバー部を、投入部を外側から覆い時に吊りベルトも外側から覆い、運搬時に自由端側を底面部側に移動させて前記吊りベルトを使用可能としている。
【００１１】
これにより、保護カバー部に別途吊りベルトを設けなくてもよくなり、保護カバー部に覆われて劣化していない吊りベルトを使用でき、運搬時の安全性を高めることができる。
【００１２】
また、保護カバー部を、多層体として形成して、その一の層が、アルミニウムで形成され、投入部の外周面側及び本体部を外側から覆った状態において保護カバー部の外側となる面側となるように配置している。
【００１３】
アルミニウムにより、紫外線を遮断してフレキシブルコンテナバッグの本体部の劣化を遅くすることができる。
【００１４】
また、下カバー部の自由端側に、底面部と設置面との間に配置される支承部材を配設すれば、支承部材が底面部と設置面との間に挟み込まれて、下カバー部がめくれ上がることを防止して、フレキシブルコンテナバッグの本体部の劣化を遅くすることができる。
【００１５】
また、本体部の外周面に複数の吊りベルトを装着して、保護カバー部は、本体部を外側から覆い時に吊りベルトも外側から覆い、運搬時に自由端側を底面部と反対側に移動させて吊りベルトを使用可能とすることができる。
【００１６】
このようにしても、保護カバー部に別途吊りベルトを設けなくてもよくなり、保護カバー部に覆われて劣化していない吊りベルトを使用でき、運搬時の安全性を高めることができる。
【００１７】
また、保護カバー部を、本体部を外側から覆い時に吊りベルトを挿通可能に形成して、運搬時に吊りベルトを使用可能とすることによっても、保護カバー部に別途吊りベルトを設けなくてもよくなり、保護カバー部に覆われて劣化していない吊りベルトを使用でき、運搬時の安全性を高めることができる。
【００１８】
また、本体部と、投入部と、保護カバー部と、を重ね合わされて縫合することで、連接部分の縫合部位を削減して生産効率を良くすることに寄与する。
【００１９】
また、投入部及び保護カバー部を、多層体で形成して、その一の層を、アルミニウムで形成して、投入部の外周面側及び本体部を外側から覆った状態において保護カバー部の外側となる面側となるように配置することによっても、アルミニウムにより、紫外線を遮断してフレキシブルコンテナバッグの本体部の劣化を遅くすることができる。
【００２０】
また、保護カバー部の自由端側に、底面部と設置面との間に配置される支承部材を配設することによっても、支承部材が底面部と設置面との間に挟み込まれて、保護カバー部がめくれ上がることを防止して、フレキシブルコンテナバッグの本体部の劣化を遅くすることができる。
【図面の簡単な説明】
【００２１】
【図１】本考案の第一の実施形態のフレキシブルコンテナバッグの上側から見た斜視図である。
【図２】本考案の第一の実施形態のフレキシブルコンテナバッグの収納物を充填する状態の上側から見た斜視図である。
【図３】本考案の第一の実施形態のフレキシブルコンテナバッグの上カバー部を上げる途中の斜視図である。
【図４】本考案の第一の実施形態のフレキシブルコンテナバッグの保護カバー部が、本体部及び投入部を外側から覆った状態の斜視図と縫合部分の部分拡大図である。
【図５】本考案の第一の実施形態のフレキシブルコンテナバッグの本体部の吊りベルトを使用可能にした状態の斜視図である。
【図６】本考案の第一の実施形態のフレキシブルコンテナバッグの吊りベルトの縫合部分の部分拡大図である。
【図７】本考案の第二の実施形態のフレキシブルコンテナバッグの上側から見た斜視図である。
【図８】本考案の第二の実施形態のフレキシブルコンテナバッグの収納物を充填する状態の上側から見た斜視図である。
【図９】本考案の第二の実施形態のフレキシブルコンテナバッグの保護カバーを下げる途中の斜視図である。
【図１０】本考案の第二の実施形態のフレキシブルコンテナバッグの保護カバー部が、本体部を外側から覆った状態の斜視図と縫合部分の部分拡大図である。
【図１１】本考案の第二の実施形態のフレキシブルコンテナバッグの保護カバー部を、をめくり上げた状態の斜視図である。
【図１２】本考案の第三の実施形態の運搬時に本体部の吊りベルトを使用可能にした状態の斜視図である。
【考案を実施するための形態】
【００２２】
本考案のフレキシブルコンテナバッグの第一の実施形態について図面に基づいて説明する。以下の説明では、図１の後述する底面部１３側を下、その反対側を上とする。
【００２３】
フレキシブルコンテナバッグ（以下、「コンテナバッグ」という。）１０は、図１乃至６に示すとおり、筒状に形成された本体部１１と、本体部１１の上端１１ａから延設され投入口１２ａを有した投入部１２と、本体部１１の下端１１ｂを閉塞する底面部１３と、本体部１１に装着された吊りベルト１４と、本体部１１の上端１１ａ側で連設されて本体部１１及び投入部１２を外側から覆い可能とする保護カバー部１５と、を本体部１１及び吊りベルト１４の強度を高める補強布１８と、を有して構成されている。
【００２４】
本体部１１は、ポリプロピレン等のシートをシームレスで円筒状にすることにより形成されている。
【００２５】
投入部１２は、ポリエチレン製等のシートをシームレスで円筒状に形成されている。投入部５の上部には、収納物を投入する投入口１２ａが設けられている。外周面側の上部に縛りテープ１２ｂが装着されている。本体部１１の上端部と、投入部１２の下端部とが、図６に示すとおり、重ね合わされて縫合されている。
【００２６】
底面部１３は、ポリプロピレン等のシートを円形状に裁断して形成されている。本体部１１の下端１１ｂと、底面部１３の外周縁とが、縫合され、本体部１１は下端１１ｂ側が閉塞している。
【００２７】
吊りベルト１４は、ポリプロピレン製等で帯状に形成されている。吊りベルト１４は、長手方向の中央部で略Ｕ字状に曲げて形成され、本体部１１の外周面及び底面部１３で縫合されている。
【００２８】
保護カバー部１５は、投入部１２を外側から覆い可能とする円筒状の上カバー部１５１と、本体部１１を外側から覆い可能とする円筒状の下カバー部１５２と、で構成されている。
【００２９】
上カバー部１５１は、ポリエチレン層１５１ａとアルミニウム層１５１ｂとが、下カバー部１５２は、ポリエチレン層１５２ａとアルミニウム層１５２ｂとが、互いに貼り合わされた二層構造のシートで形成されている。図１において、内周面側がポリエチレン層１５１ａ、１５２ａ、外周面側がアルミニウム層１５１ｂ、１５２ｂ、となるように配置されている。アルミニウム層１５１ｂ側の上部に縛りテープ１５１ｃが装着されている。
【００３０】
下カバー部１５２は、図６に示すように、下端部で上カバー部１５１の上端部と縫合されている。本体部１１の上端部と、投入部１２の下端部との縫合部分より下側で、下カバー部１５２は上端部で本体部１１の上端部と縫合されている。
【００３１】
保管時に、上カバー部１５１及び下カバー部１５２の投入部１２及び本体部１１をそれぞれ外側から覆った状態において外側となる面側が、耐候性を有したアルミニウム層１５１ｂ、アルミニウム層１５２ｂとなるように構成されている。
【００３２】
下カバー部１５２の自由端側には、底面部１３と設置面との間に配置される支承部材１６が配設されている。
【００３３】
補強布１８は、ポリプロピレン製等で矩形状に形成され、図６に示すように、本体部１１の吊りベルト１４との縫合部分の上端部分に、本体部１１と吊りベルト１４とに挟まれるように配置され、本体部１１と重ねるように縫合して形成されるとともに、吊りベルト１４にも重ねるように縫合して形成されている。
【００３４】
吊りベルト１４の本体部１１と縫合されていないフック部分が投入部１２と上カバー部１５１の間となるように配置されている。
【００３５】
以上のように構成されたコンテナバッグ１０の使用方法及び作用を以下に説明する。
【００３６】
コンテナバッグ１０を図２に示すような状態にしておき、吊りベルト１４をそれぞれ図示しないフォークリフトのフォーク、クレーンのフック等に係合してコンテナバッグ１０を吊り下げ状態にして、粉粒体等を投入口１２ａからコンテナバッグ１０内に投入する。
【００３７】
この際、上カバー部１５１は、図２に示すように、折り畳む等して吊りベルト１４の使用を妨げないようにしておく。粉粒体等を投入後、図３、４に示すように、縛りテープ１２ｄで投入部１２を縛り密封させ、コンテナバッグ１０を吊り下げた状態でフォークリフト又はクレーンで搬送する。
【００３８】
保管時には、図３、４に示すように、上カバー部１５１の自由端側を上側に移動させ縛りテープ１５１ｃで上カバー部１５１を封止するとともに、下カバー部１５２の自由端側に配設される支承部材１６を、底面部１３と設置面との間に配置する。
【００３９】
保管場所から運搬する時には、図５に示すように、縛りテープ１５１ｃの上カバー部１５１の封止を解除して、上カバー部１５１を折り畳む等して投入部１２への覆いを解除して吊りベルト１４を使用可能とする。
【００４０】
詳説すると、コンテナバッグ１０を積み上げて保管する際に、本体部１１を覆う下カバー部１５２は隣接するコンテナバッグ１０と干渉するのでめくり上げるといった移動が困難であるが、隣接するコンテナバッグ１０と干渉しない上カバー部１５１の移動で吊りベルト１４を使用可能とすることができる。
【００４１】
本実施形態のコンテナバッグ１０は、筒状の保護カバー部１５を、本体部１１の上端側で本体部１１と連設して、本体部１１を外側から覆い可能とされ、少なくとも、本体部１１を外側から覆った状態において保護カバー部１５の外側となる面側が、耐候性を有している。
【００４２】
これにより、本体部１１の耐候性を高めたうえで、低コストで生産効率を良くしたフレキシブルコンテナバッグを提供することすることができる。
【００４３】
また、保護カバー部１５を、下端部で本体部１１と連設され投入部を外側から覆い可能とする上カバー部１５１と、上端部で本体部１１と連設され本体部１１を外側から覆い可能とする下カバー部１５２と、で構成して、投入部１２及び本体部１１をそれぞれ外側から覆った状態において外側となる面側が、耐候性を有する構成としている。
【００４４】
これにより、本体部１１に加え投入部１２の耐候性を高め、低コストで生産効率を良くしたフレキシブルコンテナバッグを提供することすることができる。
【００４５】
また、本体部１１の外周面に、複数の吊りベルト１４を装着して、上カバー部１５１を、投入部１２を外側から覆い時に吊りベルト１４も外側から覆い、運搬時に自由端側を下側に移動させて吊りベルト１４を使用可能としている。
【００４６】
これにより、保護カバー部１５に別途吊りベルト１４を設けなくてもよくなり、保護カバー部１５に覆われて劣化していない吊りベルト１４を使用でき、運搬時の安全性を高めることができる。
【００４７】
また、保護カバー部１５を、多層体として形成して、その一の層が、アルミニウム層１５１ｂ、１５２ｂで形成され、投入部１２の外周面側及び本体部１１を外側から覆った状態において保護カバー部１５の外側となる面側となるように配置している。
【００４８】
アルミニウム層１５１ｂ、１５２ｂにより、紫外線を遮断してコンテナバッグ１０の本体部１１の劣化を遅くすることができる。
【００４９】
また、下カバー部１５２の自由端側に、底面部１３と設置面との間に配置される支承部材１６を配設すれば、支承部材１６が底面部１３と設置面との間に挟み込まれて、下カバー部１５２がめくれ上がることを防止して、コンテナバッグ１０の本体部１１の劣化を遅くすることができる。
【００５０】
本考案のフレキシブルコンテナバッグの第二の実施形態について図面に基づいて説明する。以下の説明において、第一の実施形態と同じ構成については、同一符号を付し全部又は一部の説明を省略する。
【００５１】
コンテナバッグ２０は、図７乃至１１に示すとおり、筒状に形成された本体部１１と、本体部１１の上端１１ａから延設され投入口１２ａを有した投入部１２と、本体部１１の下端１１ｂを閉塞する底面部１３と、本体部１１に装着された吊りベルト１４と、一端が投入部１２と連設されて本体部１１を外側から覆い可能とする保護カバー部１５と、を有して構成されている。
【００５２】
投入部２２は、ポリエチレン層２２ｂとアルミニウム層２２ｃとが互いに貼り合わされた二層構造のシートで円筒状に形成され、内周面側がポリエチレン層２２ｂ、外周面側がアルミニウム層２２ｃとなるように配置されている。投入部２２の上端部には、収納物を投入する投入口２２ａが設けられている。投入部２２の下端部は、本体部１１と連設されている。アルミニウム層２２ｃ側の上部に縛りテープ２２ｄが装着されている。
【００５３】
保護カバー部２５は、ポリエチレン層２５ａとアルミニウム層２５ｂとが互いに貼り合わされた二層構造のシートで上側が拡径した円筒状に形成され、図７において、外周面側がポリエチレン層２５ａ、内周面側がアルミニウム層２５ｂとなるように配置されている。保護カバー部２５の自由端側には、底面部１３と設置面との間に配置される支承部材１６が配設されている。
【００５４】
図７における、本体部１１の上端部と、投入部２２の下端部と、保護カバー部２５の下端部とが、図１０に示すとおり、重ね合わされて縫合されている。
【００５５】
以上のように構成されたコンテナバッグ２０の使用方法及び作用を以下に説明する。
【００５６】
コンテナバッグ２０を図８に示すような状態にしておき、吊りベルト１４をそれぞれ図示しないフォークリフトのフォーク、クレーンのフック等に係合してコンテナバッグ１０を吊り下げ状態にして、粉粒体等を投入口２２ａからコンテナバッグ２０内に投入する。
【００５７】
この際、保護カバー部２５は、折り畳む等して吊りベルト１４の使用を妨げないようにしておく。粉粒体等を投入後、縛りテープ２２ｄで投入部２２を縛り密封させ、コンテナバッグ２０を吊り下げた状態でフォークリフト又はクレーンで搬送する。
【００５８】
保管時には、図９、１０に示すように、保護カバー部２５の自由端側を底面部１３側に配置して本体部１１を外側から覆う。この時、保護カバー部２５の自由端側に配設される支承部材１６を、底面部１３と設置面との間に配置する。
【００５９】
保管場所から運搬する時には、図１１に示すように、保護カバー部２５の自由端側を上側に移動させ本体部１１への覆いを解除して吊りベルト１４を使用可能とする。
【００６０】
本実施形態のコンテナバッグ２０は、筒状の保護カバー部２５を、一端側で投入部２２と連設して、本体部１１を外側から覆い可能として、少なくとも、投入部２２の保護カバー部２５と連接する部分より投入口２２ａ側の外周面側及び本体部１１を外側から覆った状態において保護カバー部２５の外側となる面側が、アルミニウム層２５ｂとなるため耐候性を有している。
【００６１】
これにより、遮光性を有するアルミニウム層２５ｂにより紫外線を遮断して本体部１１の耐候性を高めたうえで、本体部１１の部材を貼り合わすことなく、低コストなアルミニウムを使用して、筒状の保護カバー部２５を一端側で投入部２２と連設することで生産効率を良くした、フレキシブルコンテナバッグを提供することすることができる。
【００６２】
また、本体部１１の外周面に複数の吊りベルト１４を装着して、保護カバー部２５は、本体部１１を外側から覆い時に吊りベルト１４も外側から覆い、運搬時に自由端側を底面部１３と反対側に移動させて吊りベルト１４を使用可能としている。
【００６３】
これにより、保護カバー部２５に別途吊りベルト１４を設けなくてもよくなり、保護カバー部２５に覆われて劣化していない吊りベルト１４を使用でき、運搬時の安全性を高めることができる。
【００６４】
また、本体部１１と、投入部２２と、保護カバー部２５と、を重ね合わされて縫合することで、連接部分の縫合部位を削減して生産効率を良くすることに寄与する。
【００６５】
また、投入部２２及び保護カバー部１５を、多層体で形成して、その一の層を、アルミニウム層２２ｃ、アルミニウム層２５ｂで形成して、投入部２２の外周面側及び本体部１１を外側から覆った状態において保護カバー部２５の外側となる面側となるように配置しているので、アルミニウム層２２ｃ、アルミニウム層２５ｂにより、紫外線を遮断してコンテナバッグ２０の本体部１１の劣化を遅くすることができる。
【００６６】
また、保護カバー部２５の自由端側に、底面部１３と設置面との間に配置される支承部材１６を配設することで、支承部材１６が底面部１３と設置面との間に挟み込まれて、保護カバー部２５がめくれ上がることを防止して、コンテナバッグ２０の本体部１１の劣化を遅くすることができる。
【００６７】
本考案のフレキシブルコンテナバッグの他の実施形態について図面に基づいて説明する。なお、以下の説明において、上記実施形態と同じ構成については、同じ符号を付し説明を省略する。
【００６８】
コンテナバッグ２０Ａでは、図１２に示すように、保護カバー部２５の吊りベルト１４に対応する位置に水平方向に沿って切り込み１７等を設けて、本体部１１を保護カバー部２５で覆った際に、吊りベルト１４を保護カバー部２５の内側から外側に挿通させて吊りベルト１４を使用可能としている。
【００６９】
このような構成によっても、保護カバー部２５に別途吊りベルト１４を設けなくてもよくなり、保護カバー部２５に覆われて劣化していない吊りベルト１４を使用でき、運搬時の安全性を高めることができる。
【００７０】
また、投入部２２の内周面側及び本体部１１を外側から覆った状態において保護カバー部２５の内側となる面側、上カバー部１５１及び下カバー部１５２の内周面側は、ポリエチレン以外のナイロン、ポリエステル、ポリプロピレン等の部材を用いることができる。
【００７１】
また、投入部２２の外周面側及び本体部１１を外側から覆った状態において保護カバー部２５の外側となる面、上カバー部１５１及び下カバー部１５２の外周面側は、耐候剤を添加混入した合成樹脂や、カーボンブラックのような不透明な吸収剤を添加した合成樹脂、酸化防止剤を添加した合成樹脂、展延性を有し合成樹脂と多層体を形成できる金属を用いることができる。
【００７２】
また、投入部２２はポリエチレン層２２ｂとアルミニウム層２２ｃとが、保護カバー部２５はポリエチレン層２５ａとアルミニウム層１５ｂとが、上カバー部１５１はポリエチレン層１５１ａとアルミニウム層１５１ｂとが、下カバー部１５２はポリエチレン層１５２ａとアルミニウム層１５２ｂとが、貼り合わされて形成されているが、それぞれ上下端部のみで接着、縫合等する構成にすることもできる。
【００７３】
また、本体部１１の平面視における断面は、三角形、五角形、六角形等の多角形状に形成したり、楕円形状に形成したりしてもよい。その際、投入部１２、２２及び保護カバー部１５、２５の平面視における断面を、本体部１１に対応した三角形、五角形、六角形等の多角形状に形成したり、楕円形状に形成したりすることも可能である。
【００７４】
なお、本出願人は、投入部２２及び保護カバー部１５、２５に用いられる部材について、１７ｇ／ｍ２のアルミホイル及び１０８ｇ／ｍ２のポリエチレンのクロスの検体を用いて、「ＪＩＳ  Ｒ３１０６」に基づき日射透過率を測定した。ここで日射透過率とは、垂直に入射する日射の放射束について、透過放射束の入射放射束に対する比をいう。
【００７５】
それによると、日射透過率は、波長域３００〜２５００ナノメートルにおいて１．０３％、波長域３００〜２１００ナノメートルにおいて１．０５％、波長域３８０〜７８０ナノメートルにおいて０．９９％、波長域３００〜４００ナノメートルにおいて、０．９７％であった。
【００７６】
コンテナバッグ１０の耐候性を阻害する紫外線の波長域である３８０ナノメートル以下においても日射透過率は低く、コンテナバッグ１０の本体部１１の耐候性を高めていることがわかる。
【符号の説明】
【００７７】
１０  コンテナバッグ
１１  本体部
１１ａ  上端
１１ｂ  下端  
１２  投入部
１２ａ  投入口
１２ｃ  アルミニウム層
１３  底面部
１４  吊りベルト
１５  保護カバー部
１５１  上カバー部
１５１ｂ  アルミニウム層
１５２  下カバー部
１５２ｂ  アルミニウム層
１６  支承部材
１７  切り込み
２０  コンテナバッグ
２０Ａ  コンテナバッグ
２２  投入部
２２ａ  投入口
２２ｃ  アルミニウム層
２５  保護カバー部
２５ｂ  アルミニウム層
【図１】
0003175925.tif 000003
【図２】
0003175925.tif 000004
【図３】
0003175925.tif 000005
【図４】
0003175925.tif 000006
【図５】
0003175925.tif 000007
【図６】
0003175925.tif 000008
【図７】
0003175925.tif 000009
【図８】
0003175925.tif 000010
【図９】
0003175925.tif 000011
【図１０】
0003175925.tif 000012
【図１１】
0003175925.tif 000013
【図１２】
0003175925.tif 000014